(57)【特許請求の範囲】
【請求項１】
パイロットバーナと、該パイロットバーナへの燃料供給路に開閉自在に設けられたパイロット電磁弁と、該パイロットバーナに点火するためのイグナイタと、前記パイロットバーナの燃焼炎を火移りさせて着火するメインバーナと、該メインバーナへの燃料供給路に開閉自在に設けられ、前記パイロット電磁弁の開弁時の通電電流と前記イグナイタの作動時の通電電流との合計電流よりも大きな電磁的な吸着電流を一時的に通電することにより開弁駆動されると共に、該吸着電流よりも小さな保持電流を継続的に通電することにより開弁保持されるメイン電磁弁と、該メイン電磁弁及び前記パイロット電磁弁を含む燃焼装置の作動用の電子機器の電源である電池と、前記イグナイタに通電すると共に前記パイロット電磁弁を開弁駆動して前記パイロットバーナの着火処理を行う手段と、前記メインバーナの着火時に、前記パイロットバーナが燃焼した状態で、前記メイン電磁弁を開弁駆動し、さらに前記メイン電磁弁を開弁保持するために前記電池から通電せしめる電磁弁通電手段と、前記電池の電圧を監視し、該電池電圧が所定値以下に低下したとき、所定の異常処理を行う電池電圧監視手段とを備えた燃焼装置において、
前記電池電圧監視手段は、前記パイロットバーナの着火処理の実行中に前記電池の電圧を監視して、該電池電圧が所定値以下に低下したときに、前記所定の異常処理を行い、
前記メインバーナの着火時に前記メイン電磁弁に前記吸着電流を通電している間は前記電池電圧が前記所定値以下に低下しても、それに応じた前記所定の異常処理を禁止する手段を具備することを特徴とする燃焼装置。
【請求項２】
前記所定の異常処理は、少なくとも前記メイン電磁弁を閉弁せしめる処理を含むことを特徴とする請求項１記載の燃焼装置。
【発明の詳細な説明】
【０００１】
【発明の属する技術分野】
本発明は、ガス器具等の燃焼装置に関する。
【０００２】
【従来の技術】
例えばガス給湯器にあっては、給湯運転に際して、まず、パイロットバーナにイグナイタ等により点火し、次いで、給湯管を流れる水を加熱するためのメインバーナへのガス供給路に設けた電磁弁を開弁して、メインバーナに燃料ガスを供給しつつパイロットバーナの燃焼炎を火移りさせて該メインバーナに着火し、該メインバーナの燃焼運転を行うようにしたものが知られている。
【０００３】
また、この種の燃焼装置では、前記電磁弁やイグナイタ、あるいはメインバーナ及びパイロットバーナの着火・不着火を検知するための燃焼炎検知回路等、装置に備えた電子機器の電源として電池を使用したものが知られている。そして、このように電池を使用するものでは、電池の経時的な消耗によってその電池電圧がある程度低下すると、各種電子機器の正常な動作を確保することができなくなる虞れがある。例えば、電池を電源としてパイロットバーナの点火用のイグナイタを作動させるものでは、電池電圧の低下によって、イグナイタの放電間隔が長くなって、パイロットバーナの着火音が大きなものとなることがある。
【０００４】
このため、上記のように電池を使用するものでは、通常、電池電圧を監視し、その電池電圧が所定値以下に低下すると、メインバーナへの電磁弁を閉弁してその燃焼運転を停止させ、あるいは、電池の交換を使用者に促すための報知を行う等の異常処理を行うようにしている。
【０００５】
ところで、前記メインバーナへのガス供給路に設ける電磁弁は、一般に比較的大型で、閉弁状態から開弁するためには大きな駆動力を有する。このため、該電磁弁の開弁に際しては、該電磁弁に一時的に（例えば０．４秒）大きな吸着電流（例えば４００ｍＡ）を流して該電磁弁を開弁駆動するようにしている。そして、該電磁弁の開弁後にその開弁状態を保持する際には、さほど大きな力を要しないことから、上記吸着電流よりも小さな保持電流（例えば３ｍＡ）を該電磁弁に継続的に通電するようにしている。
【０００６】
しかるに、このような開弁駆動に際して大きな吸着電流を要する電磁弁を使用し、また、その電磁弁等の電子機器の電源として電池を使用するものにあっては、次のような不都合を生じるものであった。
【０００７】
すなわち、メインバーナの着火時に該電磁弁を開弁駆動する際に、一時的に電池から該電磁弁に大きな吸着電流を通電すると、電池の電圧は、該吸着電流の通電時に一時的に大きく低下し、該吸着電流の通電が停止した後は、ほぼ該吸着電流の通電前の電圧に復帰する。そして、電池電圧の上記のような一時的な大きな低下時には該電池電圧が前記所定値以下になることがある。この場合、このような電磁弁への吸着電流の通電時における電池電圧の低下は一時的なもので、十分に短い時間であるので、電子機器の動作上の支障はないのであるが、電池電圧が所定値以下に低下することで、前述のような異常処理が行われてしまうという不都合が生じる。特に、その異常処理において、電磁弁を閉弁してメインバーナへの燃料供給を停止するものでは、本来、支障なくメインバーナの燃焼運転を行うことができるにもかかわらず、燃焼運転が停止されてしまい、使用者は早期に電池を新たなものに交換しなければならなくなるという不都合を生じる。
【０００８】
【発明が解決しようとする課題】
本発明はかかる不都合を解消し、メインバーナへの燃料供給路の電磁弁を開弁すべく該電磁弁に大きな吸着電流を流す際に、電池電圧が一時的に大きく低下しても、それに応じて電磁弁の閉弁等の異常処理が行われしまうような事態を回避することができ、可能な限り電池の交換寿命を延ばすことができる燃焼装置を提供することを目的とする。
【０００９】
【課題を解決するための手段】
本発明の燃焼装置はかかる目的を達成するために、パイロットバーナと、該パイロットバーナへの燃料供給路に開閉自在に設けられたパイロット電磁弁と、該パイロットバーナに点火するためのイグナイタと、前記パイロットバーナの燃焼炎を火移りさせて着火するメインバーナと、該メインバーナへの燃料供給路に開閉自在に設けられ、前記パイロット電磁弁の開弁時の通電電流と前記イグナイタの作動時の通電電流との合計電流よりも大きな電磁的な吸着電流を一時的に通電することにより開弁駆動されると共に、該吸着電流よりも小さな保持電流を継続的に通電することにより開弁保持されるメイン電磁弁と、該メイン電磁弁及び前記パイロット電磁弁を含む燃焼装置の作動用の電子機器の電源である電池と、前記イグナイタに通電すると共に前記パイロット電磁弁を開弁駆動して前記パイロットバーナの着火処理を行う手段と、前記メインバーナの着火時に、前記パイロットバーナが燃焼した状態で、前記メイン電磁弁を開弁駆動し、さらに前記メイン電磁弁を開弁保持するために前記電池から通電せしめる電磁弁通電手段と、前記電池の電圧を監視し、該電池電圧が所定値以下に低下したとき、所定の異常処理を行う電池電圧監視手段とを備えた燃焼装置において、前記電池電圧監視手段は、前記パイロットバーナの着火処理の実行中に前記電池の電圧を監視して、該電池電圧が所定値以下に低下したときに、前記所定の異常処理を行い、前記メインバーナの着火時に前記電磁弁に前記吸着電流を通電している間は前記電池電圧が前記所定値以下に低下しても、それに応じた前記所定の異常処理を禁止する手段を具備することを特徴とするものである。
かかる本発明によれば、前記パイロットバーナの燃焼炎を火移りさせて前記メインバーナに着火する際に、前記電磁弁通電手段によって、一時的に比較的大きな吸着電流が前記電池から前記メイン電磁弁に通電されて該メイン電磁弁が閉弁状態から開弁駆動され、さらに該吸着電流よりも小さな保持電流が前記電池から該メイン電磁弁に継続的に通電されて、該メイン電磁弁が開弁状態に保持される。これにより、メインバーナに前記燃料供給路から燃料が供給されて、前記パイロットバーナの燃焼炎がメインバーナに火移りし、該メインバーナが着火する。このとき、前記メイン電磁弁に前記吸着電流を通電した際には、その吸着電流が比較的大きいため、前記電池電圧監視手段により監視される電池電圧が一時的に前記所定値以下に低下することがある。しかるに、前記電池電圧監視手段は、前記メイン電磁弁に吸着電流を通電している間は、前記所定の異常処理を禁止するので、前記メイン電磁弁への吸着電流の通電により電池電圧が一時的に前記所定値以下に低下しても、それに応じた異常処理は行われない。従って、前記メイン電磁弁への吸着電流の通電後、電池電圧が前記所定値以上に復帰して、その状態が継続すれば、前記異常処理が行われることなく、燃焼装置の正常な作動が継続する。尚、前記電池が消耗していて、前記メイン電磁弁への吸着電流の通電後も継続して電池電圧が前記所定値以下に維持される場合には、やがて前記電池電圧監視手段によって、前記異常処理が行われる。
【００１０】
よって、本発明によれば、メインバーナへの燃料供給路のメイン電磁弁を開弁すべく該メイン電磁弁に大きな吸着電流を流す際に、電池電圧が一時的に大きく低下しても、それに応じてメイン電磁弁の閉弁等の異常処理が行われてしまうような事態を回避することができ、可能な限り電池の交換寿命を延ばすことができる。尚、パイロットバーナからメインバーナへの火移りに際しては、既にパイロットバーナに炎が形成されているため、電池電圧が低くても大きな着火音が発生するようなことはない。
【００１１】
かかる本発明は、特に、前記所定の異常処理が、少なくとも前記メイン電磁弁を閉弁せしめる処理を含む場合に好適である。
【００１２】
すなわち、前記所定の異常処理で、前記メイン電磁弁を閉弁する場合には、メインバーナへの燃料供給が遮断されるため、メインバーナの燃焼運転が強制的に停止されることとなるものの、前述の通り、前記メイン電磁弁への吸着電流の通電による電池電圧の一時的な低下の場合には、異常処理が行われないため、メインバーナの燃焼運転が強制的に停止されることがない。従って、メインバーナの燃焼運転を支障なく継続して行うことができる。尚、前記電池の消耗によって、電池電圧が継続的に前記所定値以下になるような場合には、前記異常処理によって、メインバーナの燃焼運転が強制的に停止されるため、燃焼装置の作動用の前記電子機器の正常な作動を行うことができなくなる虞れのある状態でメインバーナの燃焼運転が行われる事態を確実に排除することができる。
【００１３】
【発明の実施の形態】
本発明の一実施形態を図１乃至図４を参照して説明する。図１は本実施形態の燃焼装置を具備したガス給湯器のシステム構成図、図２は図１のガス給湯器の要部のブロック図、図３は図１のガス給湯器の作動を説明するためのフローチャート、図４は図１のガス給湯器の作動を説明するための線図である。
【００１４】
図１を参照して、本実施形態のガス給湯器は、給湯管１の途中に設けられた熱交換器２をその下方から加熱するメインバーナ３と、これを点火すべく該メインバーナ３と併設されたパイロットバーナ４とを備え、各バーナ３，４には、それぞれガス供給管５ａ，５ｂが接続されている。これらのガス供給管５ａ，５ｂは、その上流側で共通の主ガス供給管６に合流され、該主ガス供給管６から都市ガス等の燃料ガスが供給されるようになっている。尚、給湯管１の上流側は図示しない水道管に接続され、下流端部には、キッチンシャワーが接続されている。
【００１５】
主ガス供給管６には、給湯管１に設けられた水ガバナ７に連結された水圧応動弁８が設けられ、この水圧応動弁８は、給湯管１の通水時に水ガバナ７が受ける水圧に応動して機械的に開弁するようになっている。そして、主ガス供給管６から分岐された前記ガス供給管５ａ，５ｂには、これをそれぞれ開閉するためのメイン電磁弁９及びパイロット電磁弁１０が設けられている。この場合、メイン電磁弁９は、例えば０．４秒間、４００ｍＡの吸着電流を通電することにより閉弁状態から開弁駆動され（図示しないプランジャが閉位置から開位置に電磁力により移動される）、さらに、例えば３ｍＡの保持電流を通電することにより開弁状態に保持されるようになっている。尚、パイロットバーナ電磁弁１０は、メイン電磁弁９よりも小型なものであり、例えば１５０ｍＡの電流の通電によって、開弁駆動されると共にその開弁状態が保持されるようになっている。
【００１６】
また、本実施形態のガス給湯器は、その作動制御を行うための後述の各種電子回路からなる制御ユニット１１を備え、この制御ユニット１１には、前記電磁弁９，１０が接続されると共に、パイロットバーナ４を点火すべく該バーナ４に近接して設けられたイグナイタ１２（点火電極）と、両バーナ３，４の燃焼炎を検知すべく両バーナ３，４に対向して設けられたフレームロッド１３と、前記電磁弁９，１０等の電源としての電池１４と、前記水圧応動弁８の開弁に連動して閉成するマイクロスイッチ１５とが接続されている。尚、制御ユニット１１の後述の回路構成や、電磁弁９，１０、イグナイタ１２、フレームロッド１３は、本実施形態のガス給湯器の電子機器を構成するものである。
【００１７】
制御ユニット１１は、その主要な回路構成として、メイン電磁弁９及びパイロット電磁弁１０をそれぞれ開閉するためのメイン電磁弁駆動回路１６（電磁弁通電手段）及びパイロット電磁弁駆動回路１７と、イグナイタ１２に火花放電を生ぜしめるイグナイタ駆動回路１８と、フレームロッド１３を介して両バーナ３，４の燃焼炎を検知する燃焼炎検知回路１９と、電池１４の電圧を監視する電池電圧監視回路２０（電池電圧監視手段）と、パイロット電磁弁駆動回路１７及びイグナイタ駆動回路１８の動作時間を規定する第１タイマ回路２１及び第２タイマ回路２２と、メイン電磁弁９への吸着電流の通電時間を規定する第３タイマ回路２３とを備えている。これらの各回路１６〜２３には、前記水圧応動弁８の開弁によりマイクロスイッチ１５が閉成したときに、各回路１６〜２３の動作に必要な電源電圧が電池１４から制御ユニット１１に備えた電源回路２４を介して与えられるようになっている。
【００１８】
前記メイン電磁弁駆動回路１６及びパイロット電磁弁駆動回路１７は、それぞれメイン電磁弁９及びパイロット電磁弁１０の開弁に際して、これらの電磁弁９，１０に通電し、また、閉弁に際して、電磁弁９，１０への通電を遮断するものである。そして、このようなメイン電磁弁駆動回路１６及びパイロット電磁弁駆動回路１７の作動は、後述するように燃焼炎検知回路１９や電池電圧監視回路２０、第１タイマ回路２１、第２タイマ回路２２、第３タイマ回路２３の出力信号に応じて行われる。
【００１９】
イグナイタ駆動回路１８は、パイロットバーナ４の点火開始時からメインバーナ３の着火にかけて、イグナイタ１２に断続的に通電して火花放電を生ぜしめる。
【００２０】
燃焼炎検知回路１９は、フレームロッド１３に両バーナ３，４のいずれかの燃焼炎が接触する状態、すなわち、両バーナ３，４のいずれかが着火している状態であるか否かに応じた信号を出力する。
【００２１】
電池電圧監視回路２０は、電池１４から電源回路２４を介して与えられる電源電圧に基づき電池１４の電圧を把握し、その把握した電池電圧を所定値Ｖ0 と比較する。そして、電池電圧が所定値Ｖ0 以下に低下すると、基本的には、メイン電磁弁９の閉弁、パイロット電磁弁１０の閉弁、イグナイタ１２の作動停止（本実施形態ではこれらの処理を電池電圧に応じた異常処理としている）をメイン電磁弁駆動回路１６、パイロット電磁弁駆動回路１７及びイグナイタ駆動回路１８に指示する。この場合、電池１４が消耗してその電圧がある程度低くなると、パイロットバーナ４の点火時にイグナイタ駆動回路１８によるイグナイタ１２の放電間隔が長くなって、該パイロットバーナ４の着火音が大きくなることから、前記所定値Ｖ0 は、それ以上の電池電圧では上記のようにパイロットバーナ４の着火音が大きくなるような事態が生じることのないような値に設定されている。本実施形態では、電池１４の新品状態の定格電圧を３Ｖとした場合、上記所定値Ｖ0 は例えば１．８Ｖ（定格の６０％）に設定されている。尚、電池電圧監視回路２０は、後述するタイミングでは、上記のような電池電圧に応じた異常処理を禁止するようにしている。
【００２２】
第１タイマ回路２１は、パイロットバーナ４の点火開始時からメインバーナ３の着火にかけてのパイロット電磁弁１０の開弁及びイグナイタ１２の放電作動の上限時間（本実施形態では例えば３０秒、以下、第１タイマ時間という）を計時するもので、パイロットバーナ４の後述の点火処理を開始してから該第１タイマ時間の経過時にパイロット電磁弁１０を閉弁し、またイグナイタ１２の放電作動を停止せしめる旨の信号をパイロット電磁弁駆動回路１７及びイグナイタ駆動回路１８に付与する。
【００２３】
第２タイマ回路２２は、パイロットバーナ４が着火してから、そのパイロットバーナ４の燃焼炎をメインバーナ３に火移りせしめるために必要な時間（本実施形態では例えば３秒、以下、第２タイマ時間という）を計時するもので、パイロットバーナ４の着火が燃焼炎検知回路１９により検知されてから該第２タイマ時間の経過時にパイロット電磁弁１０の閉弁し、またイグナイタ１２の放電作動を停止せしめる旨の信号をパイロット電磁弁駆動回路１７及びイグナイタ駆動回路１８に付与する。
【００２４】
第３タイマ回路２３は、メイン電磁弁９を開弁駆動するための前記吸着電流を該電磁弁９に通電する時間（本実施形態では例えば０．４秒、以下、第３タイマ時間という）を計時するもので、該吸着電流の通電を開始してから（パイロットバーナ４の着火が燃焼炎検知回路１９により検知されてから）該第３タイマ時間の経過時に、メイン電磁弁９への吸着電流の通電を停止せしめる旨の信号をメイン電磁弁駆動回路１６に出力する。
【００２５】
次に、本実施形態のガス給湯器の作動を説明する。
【００２６】
図３を参照して、給湯管１の通水が開始されると（ＳＴＥＰ１）、主ガス供給管６の水圧応動弁８が開弁し（ＳＴＥＰ２）、これに連動してマイクロスイッチ１５が閉成される（ＳＴＥＰ３）。このとき、該マイクロスイッチ１５の閉成に応じて電池１４から電源回路２４を介して前記各回路１７〜２３に電源電圧が給電される。
【００２７】
そして、このように電源電圧が給電されると、第１タイマ回路２１が、前記第１タイマ時間（３０秒）の計時を開始すると共に、イグナイタ駆動回路１８がイグナイタ１２に通電して断続的に火花放電を生ぜしめ、さらに、パイロット電磁弁駆動回路１７はパイロット電磁弁１０にその開弁電流を通電して、該電磁弁１０を開弁せしめる（ＳＴＥＰ４）。これにより、パイロットバーナ４に燃料ガスが供給され、その燃料ガスがイグナイタ１２の火花放電により点火されることとなる。尚、本実施形態では、このような点火処理時に、イグナイタ１２やパイロット電磁弁１０に通電する電流は、それぞれ例えば８０ｍＡ、１５０ｍＡ程度で、これらはメイン電磁弁９への吸着電流（４００ｍＡ）よりも小さい。
【００２８】
このようなパイロットバーナ４の点火処理において、前記電池電圧監視回路２０により電池電圧が監視されており（ＳＴＥＰ５）、電池電圧が前記所定値Ｖ0 よりも小さい場合には、該電池電圧監視回路２０は、パイロット電磁弁１０の閉弁し、またイグナイタ１２の作動を停止せしめる旨の信号をパイロット電磁弁駆動回路１７及びイグナイタ駆動回路１８に付与する（ＳＴＥＰ５でＮＯ）。これに応じて、パイロット電磁弁駆動回路１７はパイロット電磁弁１０への通電を遮断して、パイロット電磁弁１０を閉弁せしめ、またイグナイタ駆動回路１８はイグナイタ１２への通電を停止して、該イグナイタ１２の放電作動を停止する（ＳＴＥＰ６）。これによりパイロットバーナ４の点火処理が中断される。
【００２９】
また、パイロットバーナ４の点火処理において、燃焼炎検知回路１９は、フレームロッド１３にパイロットバーナ４の燃焼炎が接触するか否か（パイロットバーナ４が着火したか否か）を検知している（ＳＴＥＰ７）。そして、なんらかの原因でパイロットバーナ４が着火せず、燃焼炎検知回路１９が燃焼炎を検知した旨の信号を出力しないまま、前記第１タイマ時間（３０秒）が経過して、その旨の信号が第１タイマ回路２１から出力されると（ＳＴＥＰ８でＹＥＳ）、それに応じて、パイロット電磁弁駆動回路１７はパイロット電磁弁１０への通電を遮断して、パイロット電磁弁１０を閉弁せしめ、またイグナイタ駆動回路１８はイグナイタ１２への通電を停止して、該イグナイタ１２の放電作動を停止する（ＳＴＥＰ９）。これによりパイロットバーナ４の点火処理が停止される。
【００３０】
一方、電池電圧が前記所定値Ｖ0 以上で、前記第１タイマ時間（３０秒）内にパイロットバーナ４が着火して、燃焼炎検知回路１９が燃焼炎を検知した旨の信号を出力すると（ＳＴＥＰ７でＹＥＳ）、それに応じて第２タイマ回路２２及び第３タイマ回路２３がそれぞれ前記第２タイマ時間（３秒）及び第３タイマ時間（０．４秒）の計時を開始すると共に、メイン電磁弁駆動回路１６がメイン電磁弁９に前記吸着電流（４００ｍＡ）と保持電流（３ｍＡ）との通電を開始して、該メイン電磁弁９を開弁せしめる（ＳＴＥＰ１０）。そして、第３タイマ時間（０．４秒）が経過すると（ＳＴＥＰ１１でＹＥＳ）、第３タイマ回路２３から吸着電流の通電を停止すべき旨の信号がメイン電磁弁駆動回路１６に付与され、これに応じて、該メイン電磁弁駆動回路１６は、メイン電磁弁１６への吸着電流の通電を遮断し、保持電流のみをメイン電磁弁１６に通電して、該電磁弁１６の開弁状態を保持する（ＳＴＥＰ１２）。
【００３１】
上記のようなメイン電磁弁１６の開弁によって、メインバーナ３に燃料ガスが供給され、その燃料ガスにパイロットバーナ４の燃焼炎が火移りすることで、該メインバーナ３が着火する。
【００３２】
このようなメインバーナ３の着火処理において、前記第２タイマ時間（３秒）が経過すると、その旨の信号が第２タイマ回路２２から出力され（ＳＴＥＰ１３でＹＥＳ）、これに応じて、パイロット電磁弁駆動回路１７はパイロット電磁弁１０への通電を遮断して、パイロット電磁弁１０を閉弁せしめ、またイグナイタ駆動回路１８はイグナイタ１２への通電を停止して、該イグナイタ１２の放電作動を停止する（ＳＴＥＰ１４）。これによりパイロットバーナ４の燃焼が停止される。
【００３３】
以後は、燃焼炎検知回路１９によるメインバーナ３の燃焼炎の検知及び電池電圧監視回路２０による電池電圧の監視が行われつつ（ＳＴＥＰ１５，１６）、メインバーナ３の燃焼運転が行われ、給湯管１を流れる水が熱交換器２を介して加熱される。そして、なんらかの原因でメインバーナ３が失火し、あるいは、電池１４が消耗して電池電圧が所定値Ｖ0 以下に低下すると、それに応じて燃焼炎検知回路１９や電池電圧監視回路２０から出力される信号によって、メイン電磁弁駆動回路１６がメイン電磁弁９への前記保持電流の通電を遮断して、該メイン電磁弁９を閉弁せしめ（ＳＴＥＰ１７）、これにより、メインバーナ３を消火する。
【００３４】
また、前記のようなメインバーナ３の着火処理において、燃焼炎検知回路１９は、フレームロッド１３にパイロットバーナ４の燃焼炎が接触するか否か（パイロットバーナ４またはメインバーナ３が着火しているか否か）を検知しており（ＳＴＥＰ１８）、なんらかの原因でメインバーナ３が着火せず、さらにはパイロットバーナ４が消火してしまった場合には、燃焼炎の検知信号の出力を停止する（ＳＴＥＰ１８でＮＯ）。これに応じて、メイン電磁弁駆動回路１６がメイン電磁弁９への通電を停止してメイン電磁弁９を閉弁せしめる（ＳＴＥＰ１９）。そして、この場合、少なくとも前記ＳＴＥＰ４で第１タイマ回路２１が計時を開始してから前記第１タイマ時間（３０秒）が経過するまでの間は、パイロット電磁弁１０が開弁保持されると共に、イグナイタ１２の作動が継続し、この間にパイロットバーナ４が再び着火すれば、前記ＳＴＥＰ１０からの処理が再び行われる（ＳＴＥＰ４〜９参照）。
【００３５】
尚、前記ＳＴＥＰ１９でメイン電磁弁９が閉弁されたときには、前記第２タイマ回路２２及び第３タイマ回路２３はリセットされる。
【００３６】
一方、上記のようなメインバーナ３の着火に際して、前記電池電圧監視回路２０は、前記第２タイマ回路２２がスタートしてから前記第２タイマ時間（３秒）を計時している間（第２タイマ回路２２から第２タイマ時間が経過した旨の信号が出力されるまでの間）は、電池電圧が所定値Ｖ0 よりも低下しても、メイン電磁弁駆動回路１６や、パイロット電磁弁駆動回路１７、イグナイタ駆動回路１８にメイン電磁弁９及びパイロッ電磁弁１７を閉弁し、またイグナイタ１２の放電作動を停止せしめる旨の信号は出力しない。従って、パイロットバーナ４が着火してメイン電磁弁９が開弁された時から前記第２タイマ時間（３秒）が経過するまでの間（この期間にはメイン電磁弁９への吸着電流の通電期間が含まれる）は、電池電圧が所定値Ｖ0 よりも低下しても、それに応じたメイン電磁弁９の閉弁等の異常処理は行われない。
【００３７】
この点についてさらに説明すると、前述のようなパイロットバーナ４の点火処理及びメインバーナ３の着火処理において、電池電圧は、図４に示すように、イグナイタ１２の作動及びパイロット電磁弁１０の開弁時の通電によって、作動開始前の電圧から若干低下し、さらに、メイン電磁弁９への吸着電流の通電時（前記第３タイマ時間の計時の期間）には、該吸着電流が大きい（４００ｍＡ）ため、一時的に大きく低下し、該吸着電流の通電停止後には、概ね該吸着電流の通電前の電圧に復帰する。そして、イグナイタ１２及びパイロット電磁弁１０に通電し、且つメイン電磁弁９に吸着電流を通電していない期間において、電池電圧が前記所定値Ｖ0 よりも高いものとなっていても、メイン電磁弁９への大きな吸着電流の通電時には、電池電圧が一時的に所定値Ｖ0 よりも小さくなることがある。この場合、メイン電磁弁９への吸着電流の通電期間は非常に短く（０．４秒）、その時の電池電圧の低下は一時的であるので、イグナイタ１２等の作動上支障はないのであるが、仮に前記電池電圧監視回路２０に通常の場合と同様の作動を行わせると、上記のようにメイン電磁弁９への吸着電流の通電時に電池電圧が所定値Ｖ0 よりも低下したときに、それに応じた電池電圧監視回路２０の出力によって、パイロット電磁弁１０及びメイン電磁弁９が閉弁され、また、イグナイタ１２の作動が停止される。従って、メインバーナ３の着火が行われなくなる。
【００３８】
しかるに、本実施形態では、メイン電磁弁９への吸着電流の通電時を含む前記第２タイマ時間内においては、電池電圧監視回路２０は、電池電圧が所定値Ｖ0 よりも低下しても、メイン電磁弁駆動回路１６や、パイロット電磁弁駆動回路１７、イグナイタ駆動回路１８にメイン電磁弁９及びパイロッ電磁弁１７を閉弁し、またイグナイタ１２の放電作動を停止せしめる旨の信号は出力しないため、メイン電磁弁９への吸着電流の通電時にのみ、一時的に電池電圧が所定値Ｖ0 よりも低下しても、パイロット電磁弁１０及びメイン電磁弁９が閉弁されたり、イグナイタ１２の作動が停止することがなく、支障なくメインバーナ３を着火することができる。そして、電池１２が消耗して電池電圧が所定値Ｖ0 よりも継続的に低くなり、イグナイタ１２の正常な作動を行うことができない虞れのある状態では、パイロットバーナ４の点火時や、メインバーナ３の着火後の燃焼運転中に、パイロット電磁弁１０の閉弁やイグナイタ１２の作動停止、メイン電磁弁９の閉弁というような異常処理が行われて、メインバーナ３の燃焼運転を行うことができないようになる。
【００３９】
従って、本実施形態のガス給湯器では、電池１４を交換すべき状態（電池電圧が継続的に所定値Ｖ0 よりも低くなるような状態）では、そのままメインバーナ３の燃焼運転が行われるような事態を排除することができると同時に、メイン電磁弁９への一時的な吸着電流の通電時に、一時的に電池電圧が所定値Ｖ0 よりも小さくなるような状態では、メインバーナ３の燃焼運転を支障なく行うことができる。よって、電池１４を必要以上に早期に交換しなければならないような事態を回避することができ、可能な限り電池１４の交換寿命を延ばすことができる。
【００４０】
尚、本実施形態では、パイロットバーナ４が着火して、メイン電磁弁９を開弁してから、前記吸着電流の通電時間（０．４秒）よりも長い前記第２タイマ時間（３秒）の間、前記電池電圧監視回路２０から電池電圧の所定値Ｖ0 以下への低下に応じた信号の出力を禁止して、異常処理を行わないようにしたが、メイン電磁弁９への吸着電流の通電時間だけ、すなわち、前記第３タイマ時間の計時期間だけ、電池電圧の低下に応じた異常処理を行わないようにしてもよい。
【００４１】
また、本実施形態では、電池電圧の低下に応じた異常処理として、パイロット電磁弁１０やメイン電磁弁９の閉弁を行ってメインバーナ３やパイロットバーナ４の燃焼運転を停止するようにしたが、電池電圧の低下に応じた異常処理として、ブザー等による警報を行うものについても、本発明を適用することができることはもちろんである。
【００４２】
また、本実施形態では、イグナイタ１２の作動をパイロット電磁弁１０の作動と同期させるものを示したが、パイロットバーナ４の着火が検出された時点でイグナイタ１２の作動を停止させるようにしてもよい。
【００４３】
また、本実施形態では、ガス給湯器を例にとって説明したが、パイロットバーナとメインバーナとを備える他の燃焼装置についても本発明を適用することができる。
【図面の簡単な説明】
【図１】本発明の一実施形態の燃焼装置を具備したガス給湯器のシステム構成図。
【図２】図１のガス給湯器の要部のブロック図。
【図３】図１のガス給湯器の作動を説明するためのフローチャート。
【図４】図１のガス給湯器の作動を説明するための線図。
【符号の説明】
３…メインバーナ、４…パイロットバーナ、５ａ…ガス供給管（燃料供給路）、９…メイン電磁弁、１４…電池、１６…メイン電磁弁駆動回路（電磁弁通電手段）、２０…電池電圧監視回路（電池電圧監視手段）。
【図１】
0003816142.tif 000002
【図２】
0003816142.tif 000003
【図３】
0003816142.tif 000004
【図４】
0003816142.tif 000005